(57)【要約】【課題】煩雑な組み立て作業を不要とし、組み立てにかかる時間とコストを劇的に低減することができる優れた物品支持構造体を提供する。【解決手段】嵌入孔１１を複数有する天面部６と、底面部８と、天面部６と底面部８の間に配置され物品５を側方からガイドするガイド孔１２を複数有する仕切面部７と、一対の側面部９ａ，９ｂとを有し、これらは折り目を介して繋がった１枚のシートからなり、仕切面部７の各ガイド孔１２は、天面部６の各嵌入孔１１の下方において、各嵌入孔１１に対し互いに同軸となるように配置されており、天面部６には、複数の嵌入孔１１がその直径より幅の狭い切欠き開口２０を介して互いに連結された帯状に延びる天面開口部１３が構成され、仕切面部７には、複数のガイド孔１２がその直径より幅の狭い切欠き開口２１を介して互いに連結された帯状に延びる仕切面開口部１４が構成されている。【選択図】図１
2018079950.tif 000002
【特許請求の範囲】
【請求項１】
複数の物品を互いに間隔をあけた状態で支持するための物品支持構造体であって、物品を嵌入するための嵌入孔を複数有する天面部と、底面部と、上記天面部と底面部の間に配置され物品を側方からガイドするガイド孔を複数有する仕切面部と、一対の側面部とを有し、天面部と底面部と仕切面部と一対の側面部とは、折り目を介して繋がった１枚のシートからなり、
上記仕切面部の各ガイド孔は、上記天面部の各嵌入孔の下方において、上記各嵌入孔に対し互いに同軸となるように配置されており、
上記天面部において、上記複数の嵌入孔が嵌入孔の直径より幅の狭い切欠き開口を介して互いに連結されることにより帯状に延びる天面開口部が構成され、上記仕切面部において、上記複数のガイド孔がガイド孔の直径より幅の狭い切欠き開口を介して互いに連結されることにより帯状に延びる仕切面開口部が構成されていることを特徴とする物品支持構造体。
【請求項２】
上記天面部に、複数の天面開口部が互いに平行に設けられ、上記仕切面部に、複数の仕切面開口部が互いに平行に設けられている請求項１記載の物品支持構造体。
【請求項３】
上記天面開口部の延びる方向と、上記仕切面開口部の延びる方向とが、互いに垂直に交わる請求項１または２記載の物品支持構造体。
【請求項４】
上記天面開口部の延びる方向と、上記仕切面開口部の延びる方向とが、互いに平行である請求項１または２記載の物品支持構造体。
【請求項５】
上記天面開口部の延びる方向と、上記仕切面開口部の延びる方向とが、互いに斜交いである請求項１または２記載の物品支持構造体。
【請求項６】
さらに、上記底面部の一端縁と他端縁から、それぞれフランジ面部が延設されている請求項１〜５のいずれか一項に記載の物品支持構造体。
【発明の詳細な説明】
【技術分野】
【０００１】
本発明は、複数の物品を互いに間隔をあけた状態で支持するための物品支持構造体に関するものである。
【背景技術】
【０００２】
従来、複数の物品が互いにぶつかったり倒れたりしないよう起立姿勢で収納するための構造体は種々のものが知られている。例えば、図１４（ａ）に示すように、複数の切り込みを有する縦紙片１と複数の切り込みを有する横紙片２とを互いに嵌め合せて井桁に組み立て、図１４（ｂ）に示すように、物品３を井桁空間４に収納する井桁構造体がある。この井桁構造体は、部材（縦紙片１，横紙片２）の構成が単純であることから、部材にかかるコストを低減できるという利点があり、また、物品を収納するための開口が平面視四角状で、各物品を側面から安定して保持することができるという利点がある。
【０００３】
しかしながら、上記井桁構造体は、部材自体のコストは低く済むものの、いちいち人が手で縦紙片１と横紙片２とを互いに嵌め合せて組み立てなければならず、組み立てに手間がかかるという問題がある。
【０００４】
このような問題を解消するために様々な提案がなされており、例えば、特許文献１では、一枚のシートを順次折り込んで形成される容器支持用中仕切が開示されている。すなわち、この特許文献１のものは、シートを複数回折り込む構造にすることで、人の手で組み立てる必要をなくし、自動化作業によって製造することができるようにしたものである。
【先行技術文献】
【特許文献】
【０００５】
【特許文献１】特開平７−３２９９５３号公報
【発明の概要】
【発明が解決しようとする課題】
【０００６】
しかしながら、上記特許文献１のものは、図１５（ａ）に示すように、構造が複雑であり、また、シートが二重、四重に重なって組み立てられるため、軽量化に際して改善の余地がある。そして、中仕切４０の上板４１と中板４２のそれぞれに設けた物品嵌入用の穴（４３，４４）が互いに独立しているため、いちいち上下の穴（４３，４４）の位置を確認しながら物品を嵌入しなければならず、物品の収納作業に手間取るという問題がある。さらに、左右の容器収容部（４５ａ，４５ｂ）を画成する仕切板（４６ａ，４６ｂ）同士の対向面が貼着されずに自由な状態であるため、図１５（ｂ）に示すように、外函から取り出した状態では、符号Ｃで示される内側端部境界線を回動の中心として幅方向に折り畳まれるように変形し、安定して自立することができず使い勝手が悪いという問題もある。
【０００７】
本発明は、このような事情に鑑みてなされたもので、機械によって自動的に組み立てることができる物品支持構造体であって、軽量化を図るとともに、物品の収納作業が容易であり、しかも、それ自身が安定して自立することができる、ユーザビリティに優れた物品支持構造体の提供をその目的とする。
【課題を解決するための手段】
【０００８】
上記の目的を達成するため、本発明は、複数の物品を互いに間隔をあけた状態で支持するための物品支持構造体であって、物品を嵌入するための嵌入孔を複数有する天面部と、底面部と、上記天面部と底面部の間に配置され物品を側方からガイドするガイド孔を複数有する仕切面部と、一対の側面部とを有し、天面部と底面部と仕切面部と一対の側面部とは、折り目を介して繋がった１枚のシートからなり、
上記仕切面部の各ガイド孔は、上記天面部の各嵌入孔の下方において、上記各嵌入孔に対し互いに同軸となるように配置されており、
上記天面部において、上記複数の嵌入孔が嵌入孔の直径より幅の狭い切欠き開口を介して互いに連結されることにより帯状に延びる天面開口部が構成され、上記仕切面部において、上記複数のガイド孔がガイド孔の直径より幅の狭い切欠き開口を介して互いに連結されることにより帯状に延びる仕切面開口部が構成されている物品支持構造体を第１の要旨とする。
【０００９】
そして、本発明は、上記天面部に複数の天面開口部が互いに平行に設けられ、上記仕切面部に複数の仕切面開口部が互いに平行に設けられた第１の要旨の物品支持構造体を第２の要旨とし、上記天面開口部の延びる方向と、上記仕切面開口部の延びる方向とが、互いに垂直に交わる第１または第２の要旨の物品支持構造体を第３の要旨とする。
【００１０】
また、本発明は、上記天面開口部の延びる方向と、上記仕切面開口部の延びる方向とが、互いに平行である第１または第２の要旨の物品支持構造体を第４の要旨とし、上記天面開口部の延びる方向と、上記仕切面開口部の延びる方向とが、互いに斜交いである第１または第２の要旨の物品支持構造体を第５の要旨とし、さらに、上記底面部の一端縁と他端縁から、それぞれフランジ面部が延設されている第１〜第５のいずれかの要旨の物品支持構造体を第６の要旨とする。
【発明の効果】
【００１１】
すなわち、本発明の物品支持構造体は、物品を嵌入するための嵌入孔を複数有する天面部と、物品を側面からガイドするガイド孔を複数有する仕切面部と、底面部と、天面部と底面部との間に配置される一対の側面部とが、折り目を介して繋がった１枚のシートからなっている。このため、機械を用いて自動的に組み立てることができ、従来品のように、手作業での煩雑な組み立て作業が不要となる。したがって、組み立てにかかる時間と人件費コストを大幅に低減することができる。
【００１２】
しかも、上記天面部には、上記複数の嵌入孔が嵌入孔の直径より幅の狭い切欠き開口を介して互いに連結されて帯状に延びる天面開口部が形成されており、上記仕切面部には、上記複数のガイド孔がガイド孔の直径より幅の狭い切欠き開口を介して互いに連結されて帯状に延びる仕切面開口部が形成されており、帯状に延びる天面開口部からその下方に配置される仕切面部のガイド孔の位置が確認し易くなっているため、天面部の嵌入孔とそれに対応するガイド孔への物品の嵌入が容易となり、収納作業の効率化を図ることができるという利点を有する。
【００１３】
さらに、上記物品支持構造体に収納された物品は、その側面が天面部の嵌入孔および仕切面部のガイド孔の少なくとも２個所が当接し、確実に保持されるため、簡単に抜け落ちることがない。また、一枚のシートからなる天面部および仕切面部等は撓み易くなっているため、物品を確実に保持した状態であっても、その撓みによる緩衝効果を発揮することができる。
【００１４】
なお、本発明のなかでも、特に、上記天面部に複数の天面開口部が互いに平行に設けられ、上記仕切面部に複数の仕切面開口部が互いに平行に設けられている物品支持構造体は、限られたスペースに多くの物品を収納することができ、経済的である。
【００１５】
また、本発明のなかでも、特に、上記天面開口部の延びる方向と、上記仕切面開口部の延びる方向とが、互いに垂直に交わる物品支持構造体は、限られたスペースにより多くの物品を収納することができ、より経済的である。
【００１６】
そして、本発明のなかでも、特に、上記天面開口部の延びる方向と、上記仕切面開口部の延びる方向とが、互いに平行である物品支持構造体は、帯状に延びる天面開口部からその下方に配置される仕切面部のガイド孔の位置がより確認し易いため、物品の嵌入が一層し易くなり、収納作業の効率化を図ることができる。
【００１７】
また、本発明のなかでも、特に、上記天面開口部の延びる方向と、上記仕切面開口部の延びる方向とが、互いに斜交いである物品支持構造体は、天面部の天面開口部が形成されない部分と仕切面部の仕切面開口部が形成されない部分とを、平面視において、より多く重ね合わせることができるため、より確実に強固に物品を支持することができる。
【００１８】
そして、本発明のなかでも、さらに、上記底面部の一端縁と他端縁から、それぞれフランジ面部が延設されている物品支持構造体は、フランジ面部を底面部に対して垂直下向きに折り曲げることで、フランジ面部の高さの空間分だけ物品支持構造体全体を持ち上げて載置面と底面部との間に空間を設けることができるため、さらに緩衝効果を高めることができる。
【図面の簡単な説明】
【００１９】
【図１】本発明の一実施の形態を示す斜視図である。
【図２】上記実施の形態の平面図である。
【図３】上記実施の形態の正面図である。
【図４】上記実施の形態を折り曲げる前の１枚のシートからなる展開図である。
【図５】（ａ）は上記実施の形態の天面部の説明図であり、（ｂ）は上記実施の形態の仕切面部の説明図である。
【図６】（ａ）は上記実施の形態の折り畳む工程の一部を示す説明図であり、（ｂ）は上記実施の形態を折り畳んだ状態を示す説明図である。
【図７】上記実施の形態を外箱に収納した状態を示す斜視図である。
【図８】他の実施の形態を示す斜視図である。
【図９】上記他の実施の形態の平面図である。
【図１０】（ａ）は上記他の実施の形態の天面部の説明図であり、（ｂ）は上記他の実施の形態の仕切面部の説明図である。
【図１１】さらに他の実施の形態を示す斜視図である。
【図１２】上記さらに他の実施の形態の平面図である。
【図１３】（ａ）は上記さらに他の実施の形態の天面部の説明図であり、（ｂ）は上記さらに他の実施の形態の仕切面部の説明図であり、（ｃ）は上記さらに他の実施の形態の天面部と仕切面部を重ね合せた説明図である。
【図１４】（ａ），（ｂ）はいずれも従来の例を示す説明図である。
【図１５】（ａ），（ｂ）はいずれも従来の他の例を示す説明図である。
【発明を実施するための形態】
【００２０】
つぎに、本発明の実施の形態を図面にもとづいて詳しく説明する。ただし、本発明は、この実施の形態に限定されるものではない。
【００２１】
図１は、本発明を、リップスティック等の略円柱状の物品５を支持するのに適した物品支持構造体の一実施の形態を示す斜視図であり、図２は、その実施の形態を上から見た平面図であり、図３は、図２の実施の形態を矢印の方向から見た正面図である。この物品支持構造体は、天面部６と、仕切面部７と、底面部８と、一対の側面部９ａ，９ｂと、一対のフランジ面部１０ａ，１０ｂとを有しており、仕切面部７の各ガイド孔１２は、天面部６の各嵌入孔１１の下方に位置しており、各嵌入孔１１の軸中心Ｐと各ガイド孔１２の軸中心Ｑとが互いに同軸となるよう配置されている。そして、天面部６の上方から、物品５を嵌入孔１１およびこれに対応するガイド孔１２に嵌入することにより、物品５を収納することができるようになっている。
【００２２】
より詳しく説明すると、上記物品支持構造体は、一枚の紙製シートを折り曲げて形成されており（図４参照）、図３に示すように、水平に配置される天面部６、仕切面部７、底面部８と、垂直に起立する左右一対の側面部９ａ，９ｂとで、角箱状に形成されている。
【００２３】
上記天面部６は、図５（ａ）に示すように、直径２．３ｃｍの円形の嵌入孔１１を２０個有しており、５個の嵌入孔１１がその直径より幅の狭い切欠き開口２０を介して互いに連結されて帯状に延びる天面開口部１３（長さ１３．２ｃｍ）が４本、互いに平行に形成されている。また、仕切面部７は、図５（ｂ）に示すように、直径２．０ｃｍの円形のガイド孔１２を２０個有しており、４個のガイド孔１２がその直径より幅の狭い切欠き開口２１を介して連結されて帯状に延びる仕切面開口部１４（長さ１１．０ｃｍ）が５本、互いに平行に形成されている。
【００２４】
そして、天面部６の天面開口部１３の延びる方向γと、仕切面部７の仕切面開口部１４の延びる方向δとが垂直に交わり、しかも上記嵌入孔１１の中心軸Ｐとこれに対応するガイド孔１２の中心軸Ｑとが、互いに同軸となるように配置されている。
【００２５】
上記底面部８には、図１、図４に示すように、その端縁１５ａ，１５ｂからフランジ面部１０ａ，１０ｂが延設されており、フランジ面部１０ａ，１０ｂはそれぞれ垂直下向きに折り返され、物品支持構造体の載置面１６と底面部８との間に、空間１７が形成されている。
【００２６】
このような物品支持構造体は、例えば、つぎのようにして得ることができる。すなわち、まず、紙製のシート（この例では厚み１ｍｍの白板紙）を準備し、図４の展開図の輪郭形状に外形を切断する。また、天面部６と仕切面部７において、それぞれ天面開口部１３、仕切面開口部１４を打ち抜き形成する。なお、このとき、折り曲げやすくするために、折り目となる各面の境界に凹溝もしくはミシン目を形成することができる。
【００２７】
つぎに、のりしろ面部１８，１９（図４において斜線で示す）に接着剤を塗布し、このシートの各面部の境界線（底面部８とフランジ面部１０ａ，１０ｂを除く）を山折りの折り目とし、側面部９ｂ端から順に折り曲げる。そして、のりしろ面部１９を側面部９ｂに裏面から貼り合せる。また、のりしろ面部１８を側面部９ａに裏面から貼り合せる。なお、側面部９ａ，９ｂとのりしろ面部１８，１９とが重なる部分を一点鎖線９ａ’，９ｂ’で示す。さらに、底面部８とフランジ面部１０ａ，１０ｂの境界線をそれぞれ谷折りして外側に折り返すことにより、図１に示す、物品支持構造体を組み立てることができる。
【００２８】
上記物品支持構造体の組み立ては、サック貼り機（サックマシーン）等の機械を用いて自動化することが、製造コストおよび製造にかかる時間を低減させる点から好ましい。しかしながら、製造数が少ない等の場合には、手動で組み立てを行うこともできる。また、のりしろ面部１８，１９と側面部９ａ，９ｂの接着には、ホットメルト接着剤、両面テープ等を用いることができる。
【００２９】
この物品支持構造体は、上記のように、折り目を介して繋がった１枚の紙製のシートからなり、機械によって自動的に組み立てることができるようになっているため、製造にかかる人件費および製造にかかる時間を削減することができる。また、嵌入孔１１およびガイド孔１２に挿し入れた物品５は、その側面が嵌入孔１１およびガイド孔１２に当接するため、確実に保持される。しかも、天面部６および仕切面部７等は白板紙からなり、撓み易いため、物品５を確実に保持した状態であっても、その撓みにより緩衝効果を発揮することができる。また、底面部８の端縁１５ａ，１５ｂから延設されたフランジ面部１０ａ，１０ｂにより、底面部８とこの物品支持構造体を載置する載置面１６との間に空間１７が形成されているため、底面部８側においても緩衝効果が高められている。
【００３０】
そして、天面部６には、複数の嵌入孔１１が嵌入孔の直径より幅の狭い切欠き開口２０を介して互いに連結されて帯状に延びる天面開口部１３が形成されており、仕切面部７には、複数のガイド孔１２がガイド孔１２の直径より幅の狭い切欠き開口２１を介して互いに連結されて帯状に延びる仕切面開口部１４が形成されている。このため、単に複数の嵌入孔１１が互いに独立して設けられているものに比べて、天面部６の下方に配置される仕切面部７のガイド孔１２が確認し易くなっており、天面部６の嵌入孔１１からこれに対応する仕切面部７のガイド孔１２への物品５の嵌入を簡単に行うことができるようになり、物品５の収納作業の効率化を図ることができる。また、物品５を、嵌入孔１１から切欠き開口２０側に多少ずれた位置に挿し入れたとしても、物品５を上記切欠き開口２０の端部に沿って移動させるだけで目標とする嵌入孔１１へ挿し入れることができるため、嵌入孔１１の位置をいちいち確認しながら物品５を嵌入する必要がなく、収納作業をより効率的に行うことができる。
【００３１】
さらに、天面開口部１３の延びる方向γと、仕切面開口部１４の延びる方向δとが、垂直に交わるように設計されているため、限られたスペースに、より多くの物品５を収納することができ、より経済的である。また、シートの重なり合う部分が、仕切面部７の両側に設けたのりしろ面部１８，１９と、側面部９ａ，９ｂとの重なりだけに限られており、その面積が少ないため、図１４や図１５に示す従来品に比べ大幅な軽量化を達成している。
【００３２】
また、この物品支持構造体は、折り目を介して繋がった１枚の紙製のシートからなるため、物品支持構造体全体の大きさや、嵌入孔１１、ガイド孔１２、天面開口部１３および仕切面開口部１４の形状、大きさを容易に変更することができ、収納する物品５の種類や形状が変わる都度、その物品５に応じた仕様に簡単に変更することができる。そして、この物品支持構造体は、折り目を介して繋がった１枚の紙製のシートからなるため、不要になった際の廃棄処分コストと、環境への負荷を大幅に削減することができる。
【００３３】
さらに、上記物品支持構造体は、図３に示すように、上記天面部６と仕切面部７と底面部８とが、互いに平行となるように配置されており、一対の側面部９ａ，９ｂが、天面部６と底面部８との間に互いに平行となるように配置されているため、シートを一旦組み立てると、それ自身が安定した状態で自立するようになっている。そして、保管または廃棄する際には、図６（ａ）に示すように、一方の側面部（この例では、側面部９ｂ）の上端部に力をかけてもう一方側に矢印で示すように力をかけるだけで、図６（ｂ）に示すように、簡単に平たく折り畳むことができる。したがって、この物品支持構造体自体を保管、運搬する際や廃棄する際には、全体を平たく折り畳んでコンパクトにした状態で取り扱うことができ、嵩張らないという利点を有する。
【００３４】
上記物品支持構造体は、例えば、図７に示すように、外箱３０等と組み合わせることにより、緩衝ケースとして使用することができる。このとき、物品支持構造体の側面部９ａ，９ｂと天面部６，仕切面部７および底面部８の各端縁部とが、外箱３０等の内壁に当接するようになっていると、外箱３０等の内部で物品支持構造体ががたつくことがなく、より安定した状態で物品５（図１参照）の保護を図ることができる。そして、上記物品支持構造体を緩衝ケースとして物品５の保管や運搬に用いた後は、物品５を物品支持構造体ごと外箱３０等から取り出し、物品５を別の陳列具に移し替えることなく、そのまま、あるいはフランジ面部１０ａ，１０ｂを切り取って、陳列具として展示することができるため、便利である。なお、外箱３０等を紙製にすると、物品支持構造体と同様に、不要になった際の廃棄処分コストと、環境への負荷を大幅に削減することができるため、好適である。
【００３５】
なお、上記実施の形態では、物品支持構造体を、白板紙からなるシートで形成したが、折り曲げ可能で、かつ、その状態を保持することができるものであれば、シートは白板紙でなくてもよい。折り曲げ可能で、かつ、その状態を保持することができるシートとしては、白板紙の他、例えば、チップボール紙、黄色板紙、色板紙、段ボール、プラスチック等からなるものがあげられる。
【００３６】
また、上記実施の形態では、リップスティック等の略円柱状の物品５を例にとって説明したが、本発明の物品支持構造体は、シートの大きさや、嵌入孔１１、ガイド孔１２、天面開口部１３および仕切面開口部１４の形状、大きさを容易に変更することができる。このため、当然、略円柱状以外の形状の物品を保持することができる。そして、上記実施の形態では、天面部６の嵌入孔１１の直径がおよそ２．３ｃｍであり、仕切面部７のガイド孔１２の直径がおよそ２．０ｃｍであり、嵌入孔１１がガイド孔１２に比べ大きく設計されているが、物品の形状等によっては、ガイド孔１２が嵌入孔１１より大きくなっていてもよいし、同じであってもよい。
【００３７】
そして、上記嵌入孔１１およびガイド孔１２の形状は、円形に限らず、物品の形状に応じて、楕円形、三角形、四角形等の他の形に形成することができる。また、嵌入孔１１およびこれに対応するガイド孔１２の形状は同形状であっても、異なる形状であってもよい。なお、嵌入孔１１およびガイド孔１２の形状が円形でない場合は、その形状の重心を軸中心とすることができる。したがって、本発明の物品支持構造体は、種々の化粧品をはじめ、様々な形状の物品を収納し、支持することができる。なお、上記嵌入孔１１およびガイド孔１２の形状が円形でないとき、本発明において、これらの「直径」とは、嵌入孔１１、ガイド孔１２をそれぞれ連結する際の、連結方向に対し垂直な開口幅を意味する。
【００３８】
そして、上記実施の形態では、嵌入孔１１とガイド孔１２の数は同一であるが、互いに異なっていてもよい。すなわち、物品を安定して保持するためには同一であることが好ましいが、物品支持構造体に加飾を行う等の、意匠的な視点を考慮する等の場合には、同軸に配置される嵌入孔１１、ガイド孔１２とは別に、単独の嵌入孔１１、ガイド孔１２を設けてもよい。
【００３９】
上記実施の形態では、嵌入孔１１の軸中心と、ガイド孔１２の軸中心とが、互いに垂直な状態で同軸となるよう配置されているが、嵌入孔１１とガイド孔１２の中心軸は必ずしも垂直に延びている必要はなく、互いに同一の傾きを有する状態で同軸となるよう配置されていてもよい。物品５の形状によっては、やや傾斜を持たせた状態で支持することがあるためである。その場合、嵌入孔１１とガイド孔１２は、それぞれ軸の傾斜に応じた形（例えば、物品５が「円柱」形状である場合には「楕円」）に設定することが好ましい。
【００４０】
また、上記実施の形態では、天面部６において、２０個の嵌入孔１１がその直径より幅の狭い切欠き開口２０を介して５個ずつ連結され、帯状に延びる天面開口部１３が４本構成されており、仕切面部７において、２０個のガイド孔１２がその直径より幅の狭い切欠き開口２１を介して４個ずつ連結され、帯状に延びる仕切面開口部１４が５本構成されているが、連結する嵌入孔１１およびガイド孔１２の個数、帯状に延びる天面開口部１３および仕切面開口部１４の本数は、物品５の大きさ、天面部６の面積等に応じて自由に設計することができる。また、天面開口部１３および仕切面開口部１４の本数は、複数である必要はなく、それぞれ単数であってもよい。
【００４１】
さらに、嵌入孔１１のすべてがいずれかの天面開口部１３に属する必要はなく、その一部は互いに独立した形で配置されていてもよい。また、同様に、ガイド孔１２のすべてがいずれかの仕切面開口部１４に属する必要はなく、その一部が互いに独立した形で配置されていてもよい。しかしながら、本発明の効果を充分に発揮させるためには、いずれかの天面開口部１３に属しない嵌入孔１１の数は、嵌入孔１１全体の１／６以下であることが好ましく、１／１０以下であることがより好ましい。同様に、いずれかの仕切面開口部１４に属しないガイド孔１２の数は、ガイド孔１２全体の１／６以下であることが好ましく、１／１０以下であることがより好ましい。
【００４２】
また、上記仕切面部７は、天面部６と底面部８との間に配置されるものであればよいが、物品５の嵌入性と保持性とのバランスに優れる点から、図３に示すように、天面部６と底面部８との距離αを１としたときに、天面部６と仕切面部７との距離βが０．２〜０．８であることが好ましく、０．４〜０．６であることがより好ましい。
【００４３】
そして、上記実施の形態では、底面部８の端縁１５ａ，１５ｂからフランジ面部１０ａ，１０ｂを延設したが、上記フランジ面部１０ａ，１０ｂを設ける場合、その幅Ｒ（図３参照）は緩衝性の点から、５〜２０ｍｍであることが好ましい。なお、緩衝性がそれほど求められない等の場合には、これらのフランジ面部１０ａ，１０ｂを設けなくてもよい。フランジ面部１０ａ，１０ｂを設けない場合には、この形成にかかるコストを削減できる。なお、底面部８とフランジ面部１０ａ，１０ｂとの境界線に、予めミシン目等を形成しておくと、フランジ面部１０ａ，１０ｂを物品支持構造体から簡単に切り離すことができ、底面部８の全体が載置面１６に接するように載置することができる。このため、底面部８に対する緩衝効果が不要になった際に、物品支持構造体を安定させた状態で載置することができ、便利である。
【００４４】
なお、上記実施の形態では、図１に示すように、物品５は底面部８に当接した状態で収納されているが、物品５の形状等によっては、物品５は底面部８に当接した状態で収納されなくてもよい。物品５が底面部８に当接しない場合には、支持の安定性に劣る傾向がみられるが、緩衝性を高めることができるという利点がある。
【００４５】
つぎに、本発明の他の実施の形態の斜視図を図８に示し、その平面図を図９に示す。このものは、図１０（ａ），図１０（ｂ）に示すとおり、天面開口部１３の延びる方向γと仕切面開口部１４の延びる方向δとが平行になるように、嵌入孔１１とガイド孔１２の配置を変更した点が、図１の物品支持構造体と異なっている。それ以外の構成は図１の物品支持構造体に準じているため、その記載および説明を省略する。
【００４６】
この物品支持構造体によると、天面部６に設けられた天面開口部１３からその下方に配置される仕切面部７の仕切面開口部１４の全体を容易に観察することができ、ガイド孔１２の位置がより確認し易くなるため、物品５の嵌入が一層し易くなり、収納作業の効率化を図ることができる。
【００４７】
さらに他の形態の斜視図を図１１に示し、その平面図を図１２に示す。このものは、図１３（ａ），図１３（ｂ）に示すとおり、天面開口部１３の延びる方向γと、仕切面開口部１４の延びる方向δとが斜交いとなるように、嵌入孔１１とガイド孔１２の配置を変更した点が、図１の物品支持構造体と異なっている。それ以外の構成は図１の物品支持構造体に準じているため、その記載および説明を省略する。
【００４８】
なお、天面開口部１３の延びる方向γと、仕切面開口部１４の延びる方向δとを斜交いにする場合、図１３（ｃ）に示すように、上記天面開口部１３の延びる方向γと、仕切面開口部１４の延びる方向δとが交わる角度θが、４０〜８０°の範囲にあることが好ましく、５０〜７０°の範囲にあることがより好ましく、とりわけ６０°であることが、物品５の収納効率の点から好ましい。なお、角度θは、線が交わってできる２つの角度のうち、狭角であるものをいう。
【００４９】
この物品支持構造体によると、嵌入孔１１とガイド孔１２とが異なる方向から物品５の側面に当接することになるため、物品５をバランスよく支持するようになっている。このため、より確実に強固に物品５を支持することができる。また、平面視において、天面開口部１３が形成されない天面部６の部分と、仕切面開口部１４が形成されない仕切面部７の部分とが、より多く重ね合わされているため、物品５を収納すると、物品支持構造体がより構造的に強固となり、より確実に物品５を支持することができる。さらに、この物品支持構造体によれば、物品５が斜め方向に並んだ状態で陳列されるため、前後左右に並んだものに比べて、視覚的な変化があり、アイキャッチ効果が高い。
【産業上の利用可能性】
【００５０】
本発明は、機械により自動的に組み立てることができ、しかも物品の収納作業が容易であり、軽量で取り扱いやすく緩衝効果および経済的にも優れる物品支持構造体に利用することができる。
【符号の説明】
【００５１】
５  物品
６  天面部
７  仕切面部
８  底面部
９ａ  側面部
９ｂ  側面部
１１  嵌入孔
１２  ガイド孔
１３  天面開口部
１４  仕切面開口部
２０  切欠き開口
２１  切欠き開口
【図１】
2018079950.tif 000003
【図２】
2018079950.tif 000004
【図３】
2018079950.tif 000005
【図４】
2018079950.tif 000006
【図５】
2018079950.tif 000007
【図６】
2018079950.tif 000008
【図７】
2018079950.tif 000009
【図８】
2018079950.tif 000010
【図９】
2018079950.tif 000011
【図１０】
2018079950.tif 000012
【図１１】
2018079950.tif 000013
【図１２】
2018079950.tif 000014
【図１３】
2018079950.tif 000015
【図１４】
2018079950.tif 000016
【図１５】
2018079950.tif 000017